(57)【特許請求の範囲】
【請求項１】
２つのコンデンサと、
プリント配線板とを備え、
前記２つのコンデンサのそれぞれは、柱体に形成される本体と、前記本体の一端の面から突出する２本のリード端子とを有し、
前記２つのコンデンサは、互いに隣り合い、かつ、それぞれの前記本体の軸方向が互いに平行にならないにように前記プリント配線板に実装され、
前記２つのコンデンサは、それぞれの前記本体の他端間の距離が前記一端間の距離よりも長くなるように前記プリント配線板に実装されている
ことを特徴とする電源装置。
【請求項２】
前記２つのコンデンサは、第１コンデンサと第２コンデンサとであり、
前記プリント配線板は、厚み方向に貫通して形成され、前記第１コンデンサの前記２本のリード端子が一対一に挿入される２つの第１スルーホールと、前記第２コンデンサの前記２本のリード端子が一対一に挿入される２つの第２スルーホールとを有し、
前記プリント配線板の一面である部品面上において、前記２つの第１スルーホールを通る方向を第１方向とし、
前記プリント配線板の前記部品面上において、前記２つの第２スルーホールを通る方向を第２方向とし、
前記２つの第１スルーホールと前記２つの第２スルーホールとは、前記第１方向と前記第２方向とが一直線上になるように前記プリント配線板に形成され、
前記第１コンデンサおよび前記第２コンデンサのそれぞれは、前記２本のリード端子が伸び出ている方向が互いに平行にならないように前記プリント配線板に実装されている
ことを特徴とする請求項１に記載の電源装置。
【請求項３】
前記２つのコンデンサは、第１コンデンサと第２コンデンサとであり、
前記プリント配線板は、厚み方向に貫通して形成され、前記第１コンデンサの前記２本のリード端子が一対一に挿入される２つの第１スルーホールと、前記第２コンデンサの前記２本のリード端子が一対一に挿入される２つの第２スルーホールとを有し、
前記プリント配線板の一面である部品面上において、前記２つの第１スルーホールを通る方向を第１方向とし、
前記プリント配線板の前記部品面上において、前記２つの第２スルーホールを通る方向を第２方向とし、
前記２つの第１スルーホールと前記２つの第２スルーホールは、前記第１方向と前記第２方向とが交差するように前記プリント配線板に形成されている
ことを特徴とする請求項１に記載の電源装置。
【請求項４】
前記２つのコンデンサのそれぞれは、前記プリント配線板の部品面から前記２つの第１スルーホールおよび前記２つの第２スルーホールに一対一に挿入されている前記２本のリード端子のそれぞれが前記部品面上で折れ曲がっている状態で前記プリント配線板に実装されている
ことを特徴とする請求項２または３に記載の電源装置。
【請求項５】
前記２つのコンデンサは、前記プリント配線板の前記部品面に沿った方向から見て、それぞれの前記本体の前記一端の面が前記部品面に沿うようにして並んで前記プリント配線板に実装されている
ことを特徴とする請求項４に記載の電源装置。
【請求項６】
請求項１〜５のいずれか一項に記載の電源装置と、前記電源装置によって電力が供給される光源とを備える
ことを特徴とする光源ユニット。
【請求項７】
請求項６に記載の光源ユニットと、前記光源ユニットを収容する器具本体を備える
ことを特徴とする照明器具。
【発明の詳細な説明】
【技術分野】
【０００１】
本発明は、電源装置、光源ユニット、および照明器具に関する。より詳細には、電力を供給する電源装置と、電源装置を備える光源ユニットと、光源ユニットを収容する照明器具に関する。
【背景技術】
【０００２】
従来例として、特許文献１に記載の電源装置を例示する。特許文献１に記載の電源装置は、商用電力を直流電力に変換し、照明に直流電力を供給する電源装置である。電源装置は、筐体と、電子部品が実装されるプリント配線板とで構成されている。筐体内部には、充填剤がプリント配線板全体を覆うように充填されている。電子部品には、２つの電解コンデンサが含まれている。プリント配線板に実装される２つの電解コンデンサは、プリント配線板の一端に並列して設けられている。
【先行技術文献】
【特許文献】
【０００３】
【特許文献１】特開２００８−１６６３３１号公報
【発明の概要】
【発明が解決しようとする課題】
【０００４】
ところで、一般に、特許文献１に記載されているように、２つの電解コンデンサが隣り合うように実装される場合、２つの電解コンデンサの相互間に絶縁距離が設けられることで、２つの電解コンデンサ間の絶縁性を確保する必要がある。さらに、従来、２つの電解コンデンサの絶縁性の向上を図り、かつプリント配線板の大きさを抑制することが要求されている。
【０００５】
本発明は、上記事由に鑑みてなされており、プリント配線板の大きさを抑制し、かつ少なくとも２つの近接するコンデンサの絶縁性が向上する電源装置、光源ユニット、および照明器具を提供することを目的とする。
【課題を解決するための手段】
【０００６】
本発明の電源装置は、２つのコンデンサと、プリント配線板とを備える。前記２つのコンデンサのそれぞれは、柱体に形成される本体と、前記本体の一端の面から突出する２本のリード端子とを有する。前記２つのコンデンサは、互いに隣り合い、かつ、それぞれの前記本体の軸方向が互いに平行にならないにように前記プリント配線板に実装されている。前記２つのコンデンサは、それぞれの前記本体の他端間の距離が前記一端間の距離よりも長くなるように前記プリント配線板に実装されている。
【０００７】
本発明の光源ユニットは、上述の電源装置と、前記電源装置によって電力が供給される光源とを備える。
【０００８】
本発明の照明器具は、上述の光源ユニットと、前記光源ユニットを収容する器具本体を備える。
【発明の効果】
【０００９】
本発明の電源装置、光源ユニット、および照明器具は、プリント配線板の大きさを抑制し、かつ少なくとも２つの近接するコンデンサの絶縁性を向上させることができるという効果がある。
【図面の簡単な説明】
【００１０】
【図１】図１は本発明の一実施形態に係る照明器具を示す分解斜視図である。
【図２】図２は同上の光源ユニットを示す断面図である。
【図３】図３は同上の光源ユニットの要部を示す底面図である。
【図４】図４は同上の光源ユニットを示す平面図である。
【図５】図５は同上の電源回路を示す回路構成図である。
【図６】図６は同上の電源回路の外観を示す平面図である。
【図７】図７は同上の電源回路の部品面側から見た要部を示す構成図である。
【図８】図８Ａは同上に使用されるコンデンサを示す斜視図、図８Ｂは同上に使用されるコンデンサを示し図８Ａと別の方向から見た斜視図である。
【図９】図９は同上の電源回路の別の例の部品面側から見た要部を示す構成図である。
【図１０】図１０は同上の変形例１に係る電源回路の部品面側から見た要部を示す構成図である。
【図１１】図１１は同上の変形例２の電源回路の部品面に沿った方向から見た要部を示す構成図である。
【図１２】図１２は同上の変形例３の電源回路の部品面側から見た要部を示す構成図である。
【発明を実施するための形態】
【００１１】
以下、本発明の実施形態に係る電源装置５、光源ユニット１、および照明器具１０について、図面を参照して詳細に説明する。
【００１２】
本実施形態の照明器具１０は、図１に示すように、複数の固体発光素子（光源）３２を使用し、天井材に取り付けられる照明器具である。本実施形態の光源ユニット１および電源装置５は、照明器具１０に収容される光源ユニット、および光源ユニット１に用いられる電源装置である。なお、以下に説明する構成は、本発明の一例に過ぎず、本発明は下記の実施形態に限定されることはなく、この実施形態以外であっても、本発明にかかる技術的思想を逸脱しない範囲であれば、設計等に応じて種々の変更が可能である。なお、以下の説明で、特に断りが無い限り、図１に示す向きにおいて、上下方向を規定する。
【００１３】
本実施形態の照明器具１０は、図１に示すように、ボルトなどを用いて天井材に取り付けられる器具本体２と、器具本体２に着脱自在に取り付けられる光源ユニット１とを備える。
【００１４】
器具本体２は、板金に曲げ加工を施すことで長尺かつ天井材に対向する側が開口する箱型に形成される。器具本体２において、天井材と反対側（下側）には、光源ユニット１を収容するための矩形の凹部２１が器具本体２の長手方向に沿って、かつ器具本体２の全長に亘って形成されている。器具本体２は、凹部２１の短手方向（幅方向）の両側に、凹部２１の両端縁から延出し、かつ器具本体２の短手方向に離れるにつれて上側に傾斜する一対の傾斜面２２がそれぞれ形成されている。
【００１５】
また、凹部２１の底面２１１には、電線を通すための孔２１１ａが器具本体２の長手方向の中心に設けられている。さらに、凹部２１の底面２１１には、吊りボルトを通すための２つの孔２１１ｂが形成されている。２つの孔２１１ｂのそれぞれは、器具本体２の長手方向の両端のそれぞれと器具本体２の中心との間に形成されている。
【００１６】
さらに、器具本体２の長手方向の両端には、エンドキャップ２３がそれぞれ取り付けられている。
【００１７】
光源ユニット１は、光源モジュール３と、取付部材４と、電源装置５と、端子台ブロック６と、カバー７とを備える。
【００１８】
光源モジュール３は、長尺な矩形板状に形成されるプリント配線板３１と、プリント配線板３１の一面（下面）にプリント配線板３１の長手方向に沿って実装される複数のＬＥＤ３２とを有する。プリント配線板３１の短手方向（幅方向）の両端には、長手方向に沿って複数の矩形の切欠き３１２が形成されている。複数の切欠き３１２は、後述する取付部材４に形成されるかしめ部４３（図３参照）に対応する位置に形成されている。
【００１９】
取付部材４は、図２に示すように、長尺な板金に曲げ加工を施すことで、短手方向から見てＵ字形状に形成される。取付部材４は、矩形板状に形成されている底面部４１と、底面部４１の短手方向（幅方向）の両端から上向きに延出する一対の側面部４２とを有する。底面部４１の幅方向の中央には、光源モジュール３を収容するための矩形の凹部４１１が底面部４１の長手方向に沿ってかつ全長に亘って形成されている（図１参照）。また、側面部４２のそれぞれは、先端に、底面部４１の短手方向に互いに離れる向き（外向き）に円弧形状に折り曲げられて形成される一対の先端部４２１を有する。一対の先端部４２１のそれぞれは、取付部材４の長手方向に沿ってかつ全長に亘って形成されている。
【００２０】
取付部材４は、図３に示すように、複数のかしめ部４３をさらに有する。複数のかしめ部４３のそれぞれは、凹部４１１の幅方向の両端において、凹部４１１の一部が切り起こされることで形成される。複数のかしめ部４３のそれぞれは、光源モジュール３を取付部材４に取り付ける際に、光源モジュール３の切欠き３１２に一対一に対応するように位置決めされる（図１参照）。複数のかしめ部４３のそれぞれが取付部材４の短手方向の内側に折り曲げられることで、取付部材４は、光源モジュール３を保持する。
【００２１】
取付部材４の上面には、図４に示すように、引掛け金具９１が取り付けられている。引掛け金具９１は、板金に曲げ加工を施すことで、上下方向に沿って階段形状に形成され、下段９１１および上段９１２を備える（図２参照）。引掛け金具９１の下段９１１は、取付部材４の上面に取り付けられる。引掛け金具９１の上段９１２の先端９１３は、下向きに折り曲げられて形成される（図２参照）。さらに、取付部材４の上面には、線ばねをコイル状に巻き回して形成された係止ばね９２が取り付けられている。また、取付部材４は、電源装置５から導出された電線８２を通すための孔４４を備える。
【００２２】
電源装置５は、図１に示すように、プリント配線板５１と、プリント配線板５１を収容するケース５２とを備える。プリント配線板５１は、長尺の矩形板状に形成される。プリント配線板５１には、複数の回路部品５３が実装されている。プリント配線板５１は、コネクタ５３１を有する。コネクタ５３１には、電源ケーブル８１が接続される（図４参照）。プリント配線板５１は、さらにコネクタ５３２を有する。コネクタ５３２には、電線８２の一端が接続される。電源装置５は、コネクタ５３２に接続された電線８２を介して、光源モジュール３に直流電圧を供給する。
【００２３】
電源装置５は、商用電源からの交流電圧を直流電圧に変換して、複数のＬＥＤ３２に直流電圧を供給して点灯させる。プリント配線板５１と複数の回路部品５３とで構成され、交流電圧を直流電圧に変換する回路を電源回路５０とする。電源回路５０は、電源ケーブル８１を介して外部から供給される交流電圧を複数のＬＥＤ３２を点灯させるために直流電圧に変換する。直流電圧は、電線８２を介して複数のＬＥＤ３２に供給される（図４参照）。ケース５２は、一面が開口し、かつ矩形箱状に形成される。ケース５２は、開口側が取付部材４の底面部４１の上面と対向するように、例えばねじなどを用いて取付部材４に取り付けられる。
【００２４】
電源回路５０は、図５に示すように、整流回路５０１と、平滑回路５０２と、降圧チョッパ回路５０３と、制御回路５０４と、負荷電流検出部５０５とを有する。
【００２５】
整流回路５０１は、第３コンデンサＣ３とダイオードブリッジＤＢ１とで構成されている。第３コンデンサＣ３およびダイオードブリッジＤＢのそれぞれは、回路部品５３である。第３コンデンサＣ３は、交流電圧の両極間に電気的に接続されている。ダイオードブリッジＤＢ１は入力側が交流電圧の両極間に電気的に接続されている。ダイオードブリッジＤＢ１は、入力された交流電圧を全波整流する。
【００２６】
平滑回路５０２は、第１ダイオードＤ１と、第２ダイオードＤ２と、第３ダイオードＤ３と、第１コンデンサＣ１と、第２コンデンサＣ２とで構成されている。第１ダイオードＤ１、第２ダイオードＤ２、第３ダイオードＤ３、第１コンデンサＣ１、および第２コンデンサＣ２のそれぞれは、回路部品５３である。第１コンデンサの正極は、整流回路５０１の出力の正極側に電気的に接続されている。第１コンデンサＣ１の負極は、第２ダイオードＤ２のアノードと電気的に接続されている。第２ダイオードＤ２のカソードは、第２コンデンサＣ２の正極に電気的に接続される。第２コンデンサの負極は、整流回路５０１の出力の負極側に電気的に接続されている。言い換えると、第１コンデンサＣ１と第２ダイオードＤ２と第２コンデンサＣ２とで構成される直列回路は、整流回路５０１の出力端間に電気的に接続される。
【００２７】
第１ダイオードＤ１のカソードは、第１コンデンサＣ１の負極に電気的に接続されている。第１ダイオードＤ１のアノードは、整流回路５０１の出力の負極側に電気的に接続されている。第３ダイオードＤ３のカソードは、整流回路５０１の出力の正極側に電気的に接続されている。第３ダイオードＤ３のアノードは、第２コンデンサＣ２の正極に電気的に接続されている。
【００２８】
平滑回路５０２は、整流回路５０１で整流された電圧を第１コンデンサＣ１および第２コンデンサＣ２とで分圧して出力する。例えば、第１コンデンサＣ１および第２コンデンサＣ２が同じ容量のコンデンサの場合、平滑回路５０２は、整流回路５０１から出力された電圧を２分の１に分圧して出力する。
【００２９】
降圧チョッパ回路５０３は、第４ダイオードＤ４、第４コンデンサＣ４と、スイッチング素子Ｑ１と、トランスＴ１とで構成されている。第４ダイオードＤ４、第４コンデンサＣ４、スイッチング素子Ｑ１、およびトランスＴ１のそれぞれは、回路部品５３である。スイッチング素子Ｑ１は、Ｎチャネル型のパワーＭＯＳＦＥＴ（Metal-Oxide-Semiconductor Field-Effect Transistor）である。第４ダイオードＤ４のカソードは、平滑回路５０２の出力の正極側に電気的に接続されている。第４コンデンサＣ４の一端は、平滑回路５０２の出力の正極側に電気的に接続されている。第４ダイオードＤ４のアノードは、スイッチング素子Ｑ１のドレインと電気的に接続されている。スイッチング素子Ｑ１のソースは、平滑回路５０２の出力の負極側に電気的に接続されている。トランスＴ１の一次巻線Ｌ１は、第４ダイオードＤ４のアノードと第４コンデンサＣ４の他端との間に電気的に接続されている。トランスＴ１の二次巻線Ｌ２の一端は、平滑回路５０２の出力の負極側に電気的に接続される。トランスＴ１の二次巻線Ｌ２の他端は、制御回路５０４と電気的に接続されている。
【００３０】
降圧チョッパ回路５０３は、平滑回路５０２から出力された電圧を複数のＬＥＤ３２を点灯するための適した電圧に降圧する。複数のＬＥＤ３２で構成される直列回路は、第４コンデンサＣ４の両端間に電気的に接続されている。
【００３１】
制御回路５０４は、マイコンなどの回路部品５３によって構成され、スイッチング素子Ｑ１のゲートと電気的に接続され、調光信号などに基づいて、スイッチング素子Ｑ１をオンオフ制御することで、ＬＥＤ３２の調光レベルを調整する。
【００３２】
負荷電流検出部５０５は、シャント抵抗など回路部品５３によって構成され、ＬＥＤ３２に流れる電流を測定信号として制御回路５０４に出力する。
【００３３】
端子台ブロック６は、図１および図４に示すように、矩形箱状に形成された端子台６１と、端子台６１を取付部材４に取り付けるための取付金具６２とを有する。端子台６１には、天井材を通して室内側に露出する電源線が接続される。電源装置５は、端子台６１を介して、かつ電源ケーブル８１を通って外部からの交流電圧が供給される。
【００３４】
カバー７は、図１に示すように、光拡散性を有する材料、例えば乳白色のアクリル樹脂、によって上面が開口する長尺状に形成される。カバー７は、短手方向（幅方向）において、両端側から中央側に向かって下側への突出量が大きくなるような半円弧状に形成される拡散面７１を有する（図２参照）。カバー７は、図２に示すように、幅方向の両端に、光源ユニット１を器具本体２に取り付けられた状態において上下方向に器具本体２の凹部２１の開口端縁と先端が接触する延出部７２がそれぞれ設けられている。また、カバー７の延出部７２のそれぞれの幅方向の内側には、上向きに突出する突壁部７３がカバー７の長手方向に沿ってかつ全長に亘って設けられている。突壁部７３のそれぞれの先端は、内向きに突出する突起部７３１を有する。
【００３５】
光源ユニット１の組み立て手順について説明する。なお、以下に説明する組立手順は一例であって、以下の説明以外の手順によって光源ユニット１が組み立てられることは可能である。最初に作業者は、電源装置５および端子台ブロック６をそれぞれ取付部材４の上面に取り付ける。さらに、作業者は、電源装置５と端子台ブロック６とを電源ケーブル８１によって接続する。次に、作業者は、取付部材４の底面部４１に形成された凹部４１１に光源モジュール３を載せる。このとき、作業者は、光源モジュール３の複数のＬＥＤ３２が実装されている面が下向きになるように光源モジュール３を取付部材４に取り付ける。言い換えると、光源モジュール３は、複数のＬＥＤ３２が実装されている面の反対面が取付部材４の凹部４１１に接するように、取付部材４に取り付けられる。そして、作業者は、かしめ部４３を内側（ＬＥＤ３２側）に折り曲げて光源モジュール３を取付部材４に固定する。
【００３６】
さらに、作業者は、光源モジュール３から導出する電線８２を取付部材４に形成された孔４４に通した後、一端を電源装置５のコネクタ５３２に接続する。最後に、作業者は、カバー７の開口側を上向きにした状態でカバー７を取付部材４に組み付ける。このとき、カバー７の突壁部７３のそれぞれに設けられた突起部７３１が取付部材４の側面部４２に形成された先端部４２１に引っ掛かることで、カバー７が取付部材４に保持される。
【００３７】
照明器具１０の施工手順について説明する。なお、以下に説明する施工手順は一例であって、以下の説明以外の手順で照明器具１０が施工されることは可能である。最初に、作業者は、室内側に露出する電源線を器具本体２に形成された孔２１１ａに通す。そして、作業者は、天井材を通して室内側に露出する吊ボルトを孔２１１ｂに通し、吊りボルトにナットをねじ込むことで、器具本体２を天井材に固定する。
【００３８】
次に、作業者は、あらかじめ取付部材４に取り付けられている引掛け金具９１の一端を器具本体２の凹部２１の側面に設けられた孔に挿入する。このとき、引掛け金具９１の先端が凹部２１の側面に引っ掛かることで光源ユニット１が器具本体２に吊り下げられる。作業者は、光源ユニット１が器具本体２に吊り下げられた状態で、電源線を端子台６１に接続する。さらに作業者は、係止ばね９２の両端を器具本体２に形成される係止部などに引掛けて光源ユニット１を器具本体２に取り付ける。このとき、少なくとも電源装置５および端子台ブロック６が器具本体２の凹部２１に収容される。
【００３９】
ところで、電源回路５０の外観図である図６Ａに示すように、第１コンデンサＣ１および第２コンデンサＣ２のそれぞれは、本体５４１が円柱に形成され、２本のリード端子５４２を有する。第１コンデンサＣ１および第２コンデンサＣ２は、同じ容量の電解コンデンサである。以下、第１コンデンサＣ１の本体５４１を第１本体５４１ａとし、第２コンデンサＣ２の本体５４１を第２本体５４１ｂとする。ただし、第１本体５４１ａおよび第２本体５４１ｂにおいて共通の説明をする場合には、本体５４１を使用して説明する。第１本体５４１ａおよび第２本体５４１ｂのそれぞれは、アルミケースおよび樹脂製の外装被膜（スリーブ）などで構成されている。なお、第１本体５４１ａおよび第２本体５４１ｂのそれぞれにおいて、図８Ａおよび図８Ｂに示すように、２本のリード端子５４２が突出している面を底面５４３とし、底面５４３と反対の面を天面５４４とする。
【００４０】
第１コンデンサＣ１および第２コンデンサＣ２は、図６および図７示すように、長尺の矩形板状に形成されるプリント配線板５１の部品面５１１上に隣同士になるように配置される。第１コンデンサＣ１および第２コンデンサＣ２は、第１本体５４１ａの軸方向５４５ａおよび第２本体５４１ｂの軸方向５４５ｂのそれぞれが部品面５１１に沿った方向と平行になるようにプリント配線板５１に実装される。つまり、第１コンデンサＣ１および第２コンデンサＣ２のそれぞれは、２本のリード端子５４２が折り曲げられてプリント配線板５１の部品面５１１に配置されている。部品面５１１から挿入された第１コンデンサＣ１および第２コンデンサＣ２のそれぞれの２本のリード端子５４２は、部品面５１１の反対面である半田面に半田付けされるなどして、プリント配線板５１に実装される。
【００４１】
さらに、第１コンデンサＣ１および第２コンデンサＣ２は、第１本体５４１ａの天面５４４および第２本体５４１ｂの天面５４４のそれぞれがプリント配線板５１の短手方向の一端側に向くようにして配置される。言い換えると、第１コンデンサＣ１および第２コンデンサＣ２は、部品面５１１に沿った一方向からみて、第１本体５４１ａおよび第２本体５４１ｂのそれぞれの天面５４４が部品面５１１上に沿って並ぶようにして配置される。
【００４２】
プリント配線板５１は、第１コンデンサＣ１の２本のリード端子５４２が一対一で挿入される２つの第１スルーホール５１１ａと、第２コンデンサＣ２の２本のリード端子５４２が一対一で挿入される２つの第２スルーホール５１１ｂとを備える。２つの第１スルーホール５１１ａと２つの第２スルーホール５１１ｂは、プリント配線板５１の部品面５１１上に一直線に並ばないように形成される。言い換えると、部品面５１１上において、２つの第１スルーホール５１１ａのそれぞれを結ぶ第１方向５５１と、２つの第２スルーホール５１１ｂを結ぶ第２方向５５２とは、互いに交差するようにプリント配線板５１に形成されている。このとき、第１コンデンサＣ１および第２コンデンサＣ２は、第１本体５４１ａの天面５４４と第２本体５４１ｂの天面５４４との距離ｄ１が、第１本体５４１ａの底面５４３と第２本体５４１ｂの底面５４３との距離ｄ２よりも長くなるようにプリント配線板５１に実装される。
【００４３】
このように、２つの第１スルーホール５１１ａおよび２つの第２スルーホール５１１ｂが形成されるので、第１コンデンサＣ１および第２コンデンサＣ２は、軸方向５４５ａと軸方向５４５ｂとが交差するようにプリント配線板に実装される。つまり、第１コンデンサＣ１と第２コンデンサＣ２は、それぞれの底面５４３側から天面５４４側に向かうにつれて、互いに離れるようにしてプリント配線板５１に実装される。
【００４４】
第１コンデンサＣ１および第２コンデンサＣ２が上述のように、天面５４４間の距離ｄ１が底面５４３間の距離ｄ２よりも長くなるようにプリント配線板５１に実装されることで、第１コンデンサＣ１および第２コンデンサＣ２の天面５４４間の絶縁距離がより長くなる。
【００４５】
ところで、第１コンデンサＣ１および第２コンデンサＣ２の絶縁距離とは、第１コンデンサＣ１および第２コンデンサＣ２間の直線距離である空間距離のことである。上述のように、第１コンデンサＣ１および第２コンデンサＣ２の相互間に絶縁距離が設けられているので、電源装置５は、プリント配線板５１の大きさを抑制し、かつ第１コンデンサＣ１および第２コンデンサＣ２の絶縁性を確保することができる。
【００４６】
第１コンデンサＣ１および第２コンデンサＣ２が、それぞれの底面５４３側から天面５４４側に向かうにつれて互いに離れるようにしてプリント配線板５１に実装されるので、第１コンデンサＣ１と第２コンデンサＣ２間に空間距離が確保される。このような空間距離が確保されることで、第１コンデンサＣ１と第２コンデンサＣ２とが互いに接触する可能性が低減される。例えば、検査工程などで、第１コンデンサＣ１と第２コンデンサＣ２とが接触している状態が発見されると、正常品でないとして処理される。したがって、第１コンデンサＣ１と第２コンデンサＣ２との間に空間距離が設けられることで、第１コンデンサＣ１と第２コンデンサＣ２とが互いに接触することが少なくなり、作業効率および生産効率が向上する。
【００４７】
電源回路５０の平滑回路５０２では、図５に示すように、第１コンデンサＣ１と第２コンデンサＣ２とが電気的に直列に接続されている場合、第１コンデンサＣ１に生じる電位と第２コンデンサＣ２に生じる電位とが異なる。したがって、第１コンデンサＣ１と第２コンデンサＣ２との間に電位差が生じる。このように、第１コンデンサＣ１と第２コンデンサＣ２との間に電位差が生じた場合に、プリント配線板５１の限られた領域のなかであっても、電源装置５は、第１コンデンサＣ１および第２コンデンサＣ２の絶縁性を確保することができる。
【００４８】
さらに、第１コンデンサＣ１と第２コンデンサＣ２とがそれぞれの底面５４３側から天面５４４側に向かうにつれて互いに離れるようにしてプリント配線板５１に実装されることで、相互間の絶縁距離が底面５４３側から天面５４４側に向かうにつれてより長くなる。第１コンデンサＣ１および第２コンデンサＣ２の天面５４４間の絶縁距離は、底面５４３間の絶縁距離よりも長く形成される。したがって、第１コンデンサＣ１および第２コンデンサＣ２は、プリント配線板５１の限られた領域のなかであっても、特に、天面５４４間の絶縁性を向上することができる。
【００４９】
このように、例えば、第１本体５４１ａおよび第２本体５４１ｂのそれぞれの天面５４４に防爆弁が形成されて、防爆弁が露出している場合であっても、電源装置５は、第１コンデンサＣ１および第２コンデンサＣ２の絶縁性を確保することができる。さらに、例えば第１コンデンサＣ１および第２コンデンサＣ２が劣化し、それぞれの本体５４１の外装被膜が剥がれた場合であっても、電源装置５は、第１コンデンサＣ１および第２コンデンサＣ２の絶縁性を確保するこができる。
【００５０】
また、第１コンデンサＣ１および第２コンデンサＣ２の天面５４４間の距離ｄ１が底面５４３間の距離ｄ２よりも長く形成されることで、第１コンデンサＣ１または第２コンデンサＣ２を交換する場合の交換作業および検査のためのチェックなどがし易くなる。さらに、電源装置５は、天面５４４間の絶縁距離がより長く設けられているので、振動などによって第１コンデンサＣ１と第２コンデンサＣ２とが互いに近づいても第１コンデンサＣ１および第２コンデンサＣ２の絶縁性を確保することができる。
【００５１】
なお、本実施例の第１コンデンサＣ１および第２コンデンサＣ２は、同じ容量（外観の大きさ）の電解コンデンサで説明したが、図９に示すように、本体５４１の外観の高さ方向の長さが異なる電解コンデンサでもあってもよい。つまり、第１コンデンサＣ１および第２コンデンサＣ２は、容量の異なる電解コンデンサであってもよい。言い換えると、第１コンデンサＣ１および第２コンデンサＣ２は、第１本体５４１ａの底面５４３と天面５４４との間の長さと第２本体５４１ｂの底面５４３と天面５４４との間の長さが異なる形状の電解コンデンサでもよい。この場合、第１スルーホール５１１ａおよび第２スルーホール５１１ｂが第１方向５５１と第２方向５５２とが交差するように形成されている。したがって、第１コンデンサＣ１および第２コンデンサＣ２は、軸方向５４５ａと軸方向５４５ｂとが平行にならないようにしてプリント配線板５１に実装される。さらに、第１コンデンサＣ１および第２コンデンサＣ２は、第１本体５４１ａの側面と第２本体５４１ｂの天面５４４との間の距離ｄ３が第１本体５４１ａの底面５４３と第２本体５４１ｂの底面５４３との間の距離ｄ２よりも長くなるようにプリント配線板５１に実装される。第１コンデンサＣ１と第２コンデンサＣ２とは、それぞれの底面５４３側から第２コンデンサＣ２の天面５４４側に向かうにつれて、互いに離れるようにしてプリント配線板５１に実装される。第１コンデンサＣ１および第２コンデンサＣ２の相互間に絶縁距離が設けられることで、プリント配線板５１の限られた領域のなかであっても、第１コンデンサＣ１および第２コンデンサＣ２の絶縁性が向上する。
【００５２】
また、本実施例の電源装置５では、２つのコンデンサ（第１コンデンサＣ１および第２コンデンサＣ２）が隣り合うようにプリント配線板５１に実装されているが、３つ以上のコンデンサが部品面５１１に並んで実装されていてもよい。この場合、隣り合う２つのコンデンサのそれぞれの２本のリード端子が挿通されるスルーホールが部品面５１１上に一直線に並ばないように形成される。
【００５３】
本実施形態の電源装置５は、２つのコンデンサ（第１コンデンサＣ１、第２コンデンサＣ２）と、プリント配線板５１とを備える。第１コンデンサＣ１および第２コンデンサＣ２のそれぞれは、柱体に形成される本体５４１と、本体５４１の一端の面（底面）５４３から突出する２本のリード端子５４２とを有する。第１コンデンサＣ１および第２コンデンサＣ２は、互いに隣り合い、かつ、それぞれの本体５４１の軸方向５４５ａ、５４５ｂが互いに平行にならないにようにプリント配線板５１に実装されている。第１コンデンサＣ１および第２コンデンサＣ２は、それぞれの本体５４１の他端（天面）５４４間の距離ｄ１が底面５４３間の距離ｄ２よりも長くなるようにプリント配線板５１に実装されている。
【００５４】
本実施形態の電源装置５は、上述のように構成されるので、第１コンデンサＣ１および第２コンデンサＣ２のそれぞれの底面５４３側から天面５４４側に向かうにつれて空間距離が長くなる。電源装置５は、上述のように空間距離が設けられることで、第１コンデンサＣ１および第２コンデンサＣ２の相互間の絶縁距離を確保することができる。したがって、電源装置５は、プリント配線板５１の大きさを抑制し、かつ少なくとも２つの近接するコンデンサ（第１コンデンサＣ１および第２コンデンサＣ２）の絶縁性を向上させることができる。さらに、第１コンデンサＣ１および第２コンデンサＣ２は、本体５４１の天面５４４間の距離ｄ１が底面５４３間の距離ｄ２よりも長くなるようにプリント配線板５１に実装されるので、特に、本体５４１の天面５４４側の絶縁性をより向上させることができる。また、電源装置５は、上述のように空間距離が設けられることで、第１コンデンサＣ１と第２コンデンサとが互いに接触することが少なくなり、作業効率が向上する。
【００５５】
本実施形態の電源装置５において、２つのコンデンサは、第１コンデンサＣ１と第２コンデンサＣ２とであることが好ましい。プリント配線板５１は、厚み方向に貫通して形成され、第１コンデンサＣ１の２本のリード端子５４２が一対一に挿入される２つの第１スルーホール５１１ａを有することが好ましい。プリント配線板５１は、厚み方向に貫通して形成され、第２コンデンサＣ２の２本のリード端子５４２が一対一に挿入される２つの第２スルーホール５１１ｂをさらに有することが好ましい。プリント配線板５１の一面である部品面５１１上において、２つの第１スルーホール５１１ａを通る方向を第１方向５５１とすることが好ましい。プリント配線板５１の部品面５１１上において、２つの第２スルーホール５１１ｂを通る方向を第２方向５５２とすることが好ましい。２つの第１スルーホール５１１ａと２つの第２スルーホール５１１ｂとは、第１方向５５１と第２方向５５２とが交差するようにプリント配線板５１に構成されていることが好ましい。
【００５６】
本実施形態の電源装置５が上述のように形成されると、第１コンデンサＣ１および第２コンデンサＣ２は、天面５４４側により長い絶縁距離を設けることができる。そして、さらに第１コンデンサＣ１および第２コンデンサＣ２は、本体５４１およびリード端子５４２にストレスを与えることなく、プリント配線板５１に実装されることができる。
【００５７】
本実施形態の電源装置５において、第１コンデンサＣ１および第２コンデンサＣ２のそれぞれは、プリント配線板５１の部品面５１１から２つの第１スルーホール５１１ａおよび２つの第２スルーホール５１１ｂに一対一に挿入されている２本のリード端子５４２のそれぞれが部品面５１１上で折れ曲がっている状態でプリント配線板５１に実装されていることが好ましい。
【００５８】
本実施形態の電源装置５が上述のように構成されると、電源装置５は、高さ方向における寸法のより小型化を図ることができる。
【００５９】
本実施形態の電源装置５において、第１コンデンサＣ１および第２コンデンサＣ２は、プリント配線板５１の部品面５１１に沿った方向から見て、それぞれの本体５４１の底面５４３が部品面５１１に沿うようにして並んでプリント配線板５１に実装されていることが好ましい。
【００６０】
本実施形態の電源装置５が上述のように構成されると、第１コンデンサＣ１および第２コンデンサＣ２の天面５４４に形成される防爆弁のチェック（検査）などがし易くなり、作業の効率化を図ることができる。
【００６１】
本実施形態の光源ユニット１は、電源装置５と、電源装置５によって電力が供給される光源３２とを備える。
【００６２】
本実施形態の光源ユニット１は、上述のように構成されるので、第１コンデンサＣ１および第２コンデンサＣ２間の空間距離が確保される。したがって、プリント配線板５１の大きさを抑制し、かつ少なくとも２つの近接するコンデンサ（第１コンデンサＣ１および第２コンデンサＣ２）の絶縁性を向上させることができる。
【００６３】
本実施形態の照明器具１０は、光源ユニット１と、光源ユニット１を収容する器具本体２とを備える。
【００６４】
本実施形態の照明器具１０は、上述のように構成されるので、第１コンデンサＣ１および第２コンデンサＣ２間の空間距離が確保される。したがってプリント配線板５１の大きさを抑制し、かつ少なくとも２つの近接するコンデンサ（第１コンデンサＣ１および第２コンデンサＣ２）の絶縁性を向上させることができる。
【００６５】
電源装置５の変形例１について図１０を参照して説明する。本変形例では、２つの第１スルーホール５１１ａと２つの第２スルーホール５１１ｂが、図１０に示すように、部品面５１１上に一直線上に並ぶようにして形成されている。言い換えると、２つの第１スルーホール５１１ａおよび２つの第２スルーホール５１１ｂは、第１方向５５１と第２方向５５２とが部品面５１１上に一直線上になるように、プリント配線板５１に形成される。
【００６６】
なお、本変形例の第１コンデンサＣ１および第２コンデンサＣ２は、第１本体５４１ａおよび第２本体５４１ｂが、プリント配線板５１の部品面５１１上に横たわるようにして、プリント配線板５１に実装されている。さらに、本変形例の第１コンデンサＣ１および第２コンデンサＣ２は、プリント配線板５１の部品面５１１に沿った方向から見て、第１本体５４１ａおよび第２本体５４１ｂの底面５４３が部品面５１１に沿うようにして並んでプリント配線板５１に実装されている。
【００６７】
ここで、第１コンデンサＣ１の２本のリード端子５４２が伸び出ている方向を第３方向５５３とする。また、第２コンデンサＣ２の２本のリード端子５４２が伸び出ている方向を第４方向５５４とする。言い換えると、第３方向５５３は、第１コンデンサＣ１の２本のリード端子５４２が底面５４３から突出する方向である。また、第４方向５５４は、２本のリード端子５４２が第２コンデンサＣ２の底面５４３から突出する方向である。
【００６８】
第１コンデンサＣ１および第２コンデンサＣ２は、第１コンデンサＣ１の第３方向５５３と、第２コンデンサＣ２の第４方向５５４とが互いに平行にならないようにプリント配線板５１に実装される。例えば、第２コンデンサＣ２は、第１コンデンサＣ１の第３方向５５３に対して、第２コンデンサＣ２の第４方向５５４が部品面５１１上に沿って傾くようにしてプリント配線板５１に実装される。つまり、第２コンデンサＣ２の２本のリード端子５４２のそれぞれは、２つの第２スルーホール５１１ｂに挿通され、底面５４３から異なる長さの箇所で折り曲げられている。第２コンデンサＣ２が上述のようにプリント配線板５１に実装されるので、結果的に、第１コンデンサＣ１および第２コンデンサＣ２は、軸方向５４５ａと軸方向５４５ｂが平行にならないようにプリント配線板５１に実装される。さらに、第１コンデンサＣ１および第２コンデンサＣ２は、それぞれの天面５４４間の距離ｄ１がそれぞれの底面５４３間との距離ｄ２よりも長くなるように、プリント配線板５１に実装される。
【００６９】
本変形例の電源装置５が上述のように構成されると、第１コンデンサＣ１と第２コンデンサＣ２との絶縁距離が確保されて、プリント配線板５１の限られた領域のなかであっても、第１コンデンサＣ１および第２コンデンサＣ２の絶縁性を向上させることができる。距離ｄ１が距離ｄ２よりも長くなるように形成されるので、第１コンデンサＣ１および第２コンデンサＣ２の天面５４４間の絶縁距離がより確保され、第１コンデンサＣ１および第２コンデンサＣ２の絶縁性を向上させることができる。
【００７０】
電源装置５の変形例２について、図１１を参照して説明する。なお、本変形例において、２つの第１スルーホール５１１ａおよび２つの第２スルーホール５１１ｂが部品面５１１上で一直線に並んでプリント配線板５１に形成されているとする。言い換えると、２つの第１スルーホール５１１ａおよび２つの第２スルーホール５１１ｂは、第１方向５５１と第２方向５５２とが部品面５１１上に一直線になるように、プリント配線板５１に形成されている。
【００７１】
第１コンデンサＣ１の２本のリード端子５４２のそれぞれは、２つの第１スルーホール５１１ａに部品面５１１側から挿通される。第１コンデンサＣ１の２本のリード端子５４２は、第１本体５４１ａの軸方向５４５ａが部品面５１１に沿った方向と平行になるように折り曲げられる。第２コンデンサＣ２の２本のリード端子５４２のそれぞれは、２つの第２スルーホール５１１ｂに、部品面５１１側から挿通される。第２コンデンサＣ２の２本のリード端子５４２は、第４方向５５４がプリント配線板５１の厚み方向に対して、鈍角になるように折り曲げられる。
【００７２】
言い換えると、第１コンデンサＣ１の２本のリード端子５４２と第２コンデンサＣ２の２本のリード端子５４２がプリント配線板５１の部品面５１１に対して異なる角度で折り曲げられている。つまり、第１コンデンサＣ１および第２コンデンサＣ２は、部品面５１１に沿った方向から見て、第１本体５４１ａの軸方向５４５ａと第２本体５４１ｂの軸方向５４５ｂとが平行にならないようにプリント配線板５１に実装されている。
【００７３】
本変形例の電源装置５が上述のように構成されると、第１コンデンサＣ１と第２コンデンサＣ２の相互間に絶縁距離が設けられることで、プリント配線板５１の限られた領域のなかであっても、第１コンデンサＣ１および第２コンデンサＣ２の絶縁性が確保される。さらに、第１コンデンサＣ１および第２コンデンサＣ２のそれぞれは、プリント配線板５１の厚み方向における天面５４４間の距離が底面５４３間の距離よりも長く形成されている。したがって、第１コンデンサＣ１と第２コンデンサＣ２との天面５４４間の絶縁距離が特により長く確保され、第１コンデンサＣ１および第２コンデンサＣ２の天面５４４側の絶縁性をより向上させることができる。
【００７４】
さらに、電源装置５の変形例３について図１２を参照して説明する。なお、本変形例において、２つの第１スルーホール５１１ａおよび２つの第２スルーホール５１１ｂが部品面５１１上で一直線に並んでプリント配線板５１に形成されているとする。言い換えると、２つの第１スルーホール５１１ａおよび２つの第２スルーホール５１１ｂは、第１方向５５１と第２方向５５２とが部品面５１１上に一直線になるように、プリント配線板５１に形成されている。
【００７５】
第２コンデンサＣ２は、図１２に示すように、第２本体５４１ｂの軸方向５４５ｂが第２コンデンサＣ２の第４方向５５４に対して傾けられてプリント配線板５１に実装されている。このとき、第１コンデンサＣ１の第３方向５５３と第２コンデンサＣ２の第４方向は平行に配置されている。第２コンデンサＣ２の第２本体５４１ｂは、第４方向５５４を軸に、第２コンデンサＣ２の天面５４４が第１コンデンサＣ１の天面５４４から離れるように傾けられる。このように、第２コンデンサＣ２がプリント配線板５１に実装されることで、第１コンデンサＣ１の第１本体５４１ａの軸方向５４５ａに対して、第２コンデンサＣ２の第２本体５４１ｂの軸方向５４５ｂが傾いている。つまり、第１コンデンサＣ１および第２コンデンサＣ２は、それぞれの本体５４１の天面５４４間の距離ｄ１が底面５４３間の距離ｄ２よりも長くなるように、プリント配線板５１に実装される。
【００７６】
本変形例の電源装置５が上述のように構成されると、第１コンデンサＣ１と第２コンデンサＣ２の相互間に絶縁距離が設けられるので、プリント配線板５１の限られた領域のなかであっても、第１コンデンサＣ１および第２コンデンサＣ２の絶縁性が確保される。さらに、第２コンデンサＣ２は、距離ｄ１が距離ｄ２よりも長くなるように第２本体５４１ｂが第４方向５５４を軸に傾けられているので、第１コンデンサＣ１と第２コンデンサＣ２との天面５４４間の絶縁距離がより確保されている。したがって、第１コンデンサＣ１および第２コンデンサＣ２の天面５４４側の絶縁性をより向上させることができる。
【００７７】
変形例１、変形例２、および変形例３の電源装置５は、２つのコンデンサは、第１コンデンサと第２コンデンサとであることが好ましい。プリント配線板５１は、厚み方向に貫通して形成され、第１コンデンサＣ１の２本のリード端子５４２が一対一に挿入される２つの第１スルーホール５１１ａを有することが好ましい。プリント配線板５１は、厚み方向に貫通して形成され、第２コンデンサＣ２の２本のリード端子５４２が一対一に挿入される２つの第２スルーホール５１１ｂを有することが好ましい。プリント配線板５１の一面である部品面５１１上において、２つの第１スルーホール５１１ａを通る方向を第１方向５５１することが好ましい。プリント配線板５１の部品面５１１上において、２つの第２スルーホール５１１ｂを通る方向を第２方向とすることが好ましい。２つの第１スルーホール５１１ａと２つの第２スルーホール５１１ｂは、第１方向５５１と第２方向５５２とが一直線上になるようにプリント配線板５１に形成されることが好ましい。第１コンデンサＣ１および第２コンデンサＣ２のそれぞれは、２本のリード端子５４２が伸び出ている方向が互いに平行にならないようにプリント配線板５１に実装されていることが好ましい。
【００７８】
本実施形態の電源装置５は、上述のように構成されるので、従来品のプリント配線板を使用することができ、コストの削減を図ることが可能である。
【符号の説明】
【００７９】
１  光源ユニット
１０  照明器具
２  器具本体
３２  光源
５  電源装置
５１  プリント配線板
５１１ａ  第１スルーホール
５１１ｂ  第２スルーホール
５４１  本体
５４２  リード端子
５４３  底面
５４４  天面
５４５ａ、５４５ｂ  軸方向
５５１  第１方向
５５２  第２方向
Ｃ１  第１コンデンサ
Ｃ２  第２コンデンサ
ｄ１、ｄ２  距離
【図１】
0006755001.tif 000002
【図２】
0006755001.tif 000003
【図３】
0006755001.tif 000004
【図４】
0006755001.tif 000005
【図５】
0006755001.tif 000006
【図６】
0006755001.tif 000007
【図７】
0006755001.tif 000008
【図８】
0006755001.tif 000009
【図９】
0006755001.tif 000010
【図１０】
0006755001.tif 000011
【図１１】
0006755001.tif 000012
【図１２】
0006755001.tif 000013